(57)【要約】【課題】空気の微小漏れや多量の空気が不用意に供給されることを防止し、且つ適切な吸気感覚を得ることができるスキューバダイビング用呼吸装置を提供すること。【解決手段】スキューバダイビング用の空気をダイバーへ供給する２次レギュレーターであって、１次レギュレーターから供給される空気が吐出できる空気供給オリフィス２０と、空気供給オリフィス２０を閉鎖できると共に空気室３０へ通じる小孔２６を備えるメインバルブシート２５と、空気室３０内から空気の流出を許容する小径オリフィス４０と、小径オリフィス４０を開閉する開閉部４６が一方部に設けられると共に他方部がダイヤフラム１２に連携されたレバー４５と、開閉部４６が小径オリフィス４０を閉じるようにレバー４５を付勢するトーションスプリング５０と、トーションスプリング５０のバネ圧を本体ケース１０の外部から変更調整するバネ圧調整機構６０とを具備する。【選択図】  図２
2006335099.tif 000002
【特許請求の範囲】
【請求項１】
スキューバダイビング用タンクに取り付けられた１次レギュレーターから供給される潜水用の空気を、ダイバーの呼吸に応じて圧力を調整してダイバーへ供給する２次レギュレーターであって、
水中において本体ケース及びダイヤフラム等によって空間を形成することで空気が滞留されるべく設けられた本体ケース内部に開口し、前記１次レギュレーターから供給される空気が吐出できる空気供給オリフィスと、
該空気供給オリフィスへ一方面側が当接して閉鎖できると共に、他方面側へ空気が流出することを許容する小孔を備え、前記一方面側の当接による前記空気供給オリフィスの閉鎖を解除すべく動作した際にはダイバーへの空気の供給を許容するメインバルブシートと、
前記メインバルブシートの他方面側へ流出した空気を滞留可能に設けられ、前記メインバルブシートによって前記空気供給オリフィスが閉鎖されるべく圧力を保持可能な空気室と、
該空気室の圧力を低下させて前記メインバルブシートによる前記空気供給オリフィスの閉鎖を解除可能に、前記空気室内から前記本体ケース内部への空気の流出を許容する小径オリフィスと、
該小径オリフィスを開閉する開閉部が一方部に設けられると共に、前記本体ケース内部が外部よりも低圧になった場合に前記ダイヤフラムの動作に伴って前記小径オリフィスを開くべく、他方部が前記ダイヤフラムに連携されたレバーと、
該レバーの前記開閉部が前記小径オリフィスを閉じるように該レバーを付勢するバネ部材と、
該バネ部材のバネ圧を前記本体ケースの外部から変更調整するバネ圧調整機構とを具備することを特徴とするスキューバダイビング用呼吸装置。
【請求項２】
前記レバーは、中途部で基部に回動可能に軸着されて、一方部に前記開閉部が設けられると共に、他方部に前記ダイヤフラムに当接して連携する当接部が設けられ、
前記バネ部材は、トーションスプリングであって、一端が前記レバーの前記他方部に係止されると共に、他端がバネ圧を調整するため変位可能に設けられたスプリングホルダーに係止されたことを特徴とする請求項１記載のスキューバダイビング用呼吸装置。
【請求項３】
前記バネ圧調整機構は、基部に回動可能に軸着されて回動することで前記トーションスプリングの他端の位置を変位させてバネ圧を調整可能に設けられた前記スプリングホルダーと、該スプリングホルダーを外部から操作可能に連携して変位させることができるカム状部材とを備えることを特徴とする請求項２記載のスキューバダイビング用呼吸装置。
【請求項４】
前記カム状部材の前記スプリングホルダーと連携すべく設けられた当接面が、前記本体ケースの壁部を貫通して外部で回動操作可能に軸着された調整ダイヤルの前記本体ケース内部へ突出した先端部に設けられていることを特徴とする請求項３記載のスキューバダイビング用呼吸装置。
【請求項５】
前記小径オリフィスが設けられた部位と、前記レバーと、前記バネ部材と、前記スプリングホルダーとから成るレバーユニットを設け、該レバーユニットを脱着可能としたことを特徴とする請求項２、３又は４記載のスキューバダイビング用呼吸装置。
【請求項６】
スキューバダイビング用タンクに取り付けられた１次レギュレーターから供給される潜水用の空気を、ダイバーの呼吸に応じて圧力を調整してダイバーへ供給する２次レギュレーターであって、
水中において本体ケース及びダイヤフラム等によって空間を形成することで空気が滞留されるべく設けられた本体ケース内部に開口し、前記１次レギュレーターから供給される空気が吐出できる空気供給オリフィスと、
該空気供給オリフィスへ一方面側が当接して閉鎖できると共に、他方面側へ空気が流出することを許容する小孔を備え、前記一方面側の当接による前記空気供給オリフィスの閉鎖を解除すべく動作した際にはダイバーへの空気の供給を許容するメインバルブシートと、
前記メインバルブシートの他方面側へ流出した空気を滞留可能に設けられ、前記メインバルブシートによって前記空気供給オリフィスが閉鎖されるべく圧力を保持可能な空気室と、
該空気室の圧力を低下させて前記メインバルブシートによる前記空気供給オリフィスの閉鎖を解除可能に、前記空気室内から前記本体ケース内部への空気の流出を許容する小径オリフィスと、
該小径オリフィスを開閉する開閉部が一方部に設けられると共に、前記本体ケース内部が外部よりも低圧になった場合に前記ダイヤフラムの動作に伴って前記小径オリフィスを開くべく、他方部が前記ダイヤフラムに連携されたレバーとを備え、
前記メインバルブシートによって前記空気供給オリフィスを閉鎖すべく前記空気室の圧力が保持される際には、前記メインバルブシートの前記一方面側で且つ前記空気供給オリフィスを閉鎖する部分よりも外周側の面部に当接して受ける部位であると共に、前記空気供給オリフィスの前記メインバルブシートによる閉鎖が解除された際には、前記空気供給オリフィスから前記本体ケース内部への通気を許容する部位が、メッシュ部材によって設けられていることを特徴とするスキューバダイビング用呼吸装置。
【請求項７】
スキューバダイビング用タンクに取り付けられた１次レギュレーターから供給される潜水用の空気を、ダイバーの呼吸に応じて圧力を調整してダイバーへ供給する２次レギュレーターであって、
水中において本体ケース及びダイヤフラム等によって空間を形成することで空気が滞留されるべく設けられた本体ケース内部に開口し、前記１次レギュレーターから供給される空気が吐出できる空気供給オリフィスと、
該空気供給オリフィスへ一方面側が当接して閉鎖できると共に、他方面側へ空気が流出することを許容する小孔を備え、前記一方面側の当接による前記空気供給オリフィスの閉鎖を解除すべく動作した際にはダイバーへの空気の供給を許容するメインバルブシートと、
前記メインバルブシートの他方面側へ流出した空気を滞留可能に設けられ、前記メインバルブシートによって前記空気供給オリフィスが閉鎖されるべく圧力を保持可能な空気室と、
該空気室の圧力を低下させて前記メインバルブシートによる前記空気供給オリフィスの閉鎖を解除可能に、前記空気室内から前記本体ケース内部への空気の流出を許容する小径オリフィスと、
該小径オリフィスを開閉する開閉部が一方部に設けられると共に、前記本体ケース内部が外部よりも低圧になった場合に前記ダイヤフラムの動作に伴って前記小径オリフィスを開くべく、他方部が前記ダイヤフラムに連携されたレバーと、
１次レギュレーターから供給される空気圧が一定以上になるとその空気を外部へ放出すべく、前記空気供給オリフィスと１次レギュレーターへ接続するためのホース接続口との間の連通路に設けられたリリーフ弁とを具備することを特徴とするスキューバダイビング用呼吸装置。
【発明の詳細な説明】
【技術分野】
【０００１】
この発明は、スキューバダイビング用タンクに取り付けられた１次レギュレーターから供給される潜水用の空気を、ダイバーの呼吸に応じて圧力を調整してダイバーへ供給する２次レギュレーターに関する。
【背景技術】
【０００２】
スキューバダイビング用の２次レギュレーターとしては、従来からいわゆるパイロット弁式の空気バルブ機構を採用したものがある（特許文献１、２参照）。
それらの空気バルブ機構によれば、中央に小孔を設けた円形のメインバルブシート（又は「可動バルブ手段」）と、それにより閉鎖される空気供給オリフィスが設けられ、メインバルブシートの小孔から流出した空気を滞留できる空気室を備える。その空気室の圧力がメインバルブシートの小孔から流入した空気によって空気供給オリフィス内部と同一になることで、そのメインバルブシートが空気供給オリフィスを閉鎖する。また、空気室に設けられた小径オリフィスが開放されることによって空気室の内圧が低下し、空気供給オリフィスからの圧力でメインバルブシートが変形して空気流路が形成される。これにより、空気が放出されて２次レギュレーターの本体ケース内部を通ってダイバーへ供給される。また、この空気バルブ機構においては、ダイバーの呼吸によって本体ケース内部が負圧となった際に、ダイヤフラムが本体ケース内部側へ移動する変位をレバーにより伝達して空気室の小径オリフィスを開放する方式となっている。この小径オリフィスは、レバーに設けられた開閉部材がバネ部材の弾性力によって内側又は外側から押し付けられることで閉鎖されるようになっている。
【特許文献１】米国特許第４２１９０１７号公報（第１頁、図５）
【特許文献２】特表平９−５０５５３９号公報（第１頁）
【０００３】
しかし、レバーの開閉部材がバネ部材によって適度の圧力で小径オリフィスに当接されないと、ダイバーに空気を好適に供給できない。つまり、バネ部材による付勢力を予め十分にかけておかないと、小径オリフィスからの空気の微小漏れが頻繁に起こる。最悪の場合、空気室の圧力が下がることでメインバルブシートによる空気供給オリフィスの閉鎖が解除され、多量の空気が不用意に供給されてしまう。また、これを防ぐために小径オリフィスを閉鎖するバネ部材による付勢力を高めると、今度はダイバーの吸気における本体ケース内部の負圧に応じたダイヤフラムの動きに対してレバーの動きを抑制してしまい、その結果、吸気が重く感じられる弊害が生じた。
【発明の開示】
【発明が解決しようとする課題】
【０００４】
スキューバダイビング用呼吸装置に関して解決しようとする問題点は、小径オリフィスをレバーの開閉部材によって閉じるためのバネ部材による付勢力が適切でないと、空気をダイバーへ好適に供給できない点にある。
そこで本発明の目的は、空気の微小漏れや多量の空気が不用意に供給されることを防止し、且つ適切な吸気感覚を得ることができるように、各条件に応じて空気をダイバーへ好適に供給することが可能なスキューバダイビング用呼吸装置を提供することにある。
【課題を解決するための手段】
【０００５】
本発明は、上記目的を達成するために次の構成を備える。
本発明にかかるスキューバダイビング用呼吸装置の一形態によれば、スキューバダイビング用タンクに取り付けられた１次レギュレーターから供給される潜水用の空気を、ダイバーの呼吸に応じて圧力を調整してダイバーへ供給する２次レギュレーターであって、水中において本体ケース及びダイヤフラム等によって空間を形成することで空気が滞留されるべく設けられた本体ケース内部に開口し、前記１次レギュレーターから供給される空気が吐出できる空気供給オリフィスと、該空気供給オリフィスへ一方面側が当接して閉鎖できると共に、他方面側へ空気が流出することを許容する小孔を備え、前記一方面側の当接による前記空気供給オリフィスの閉鎖を解除すべく動作した際にはダイバーへの空気の供給を許容するメインバルブシートと、前記メインバルブシートの他方面側へ流出した空気を滞留可能に設けられ、前記メインバルブシートによって前記空気供給オリフィスが閉鎖されるべく圧力を保持可能な空気室と、該空気室の圧力を低下させて前記メインバルブシートによる前記空気供給オリフィスの閉鎖を解除可能に、前記空気室内から前記本体ケース内部への空気の流出を許容する小径オリフィスと、該小径オリフィスを開閉する開閉部が一方部に設けられると共に、前記本体ケース内部が外部よりも低圧になった場合に前記ダイヤフラムの動作に伴って前記小径オリフィスを開くべく、他方部が前記ダイヤフラムに連携されたレバーと、該レバーの前記開閉部が前記小径オリフィスを閉じるように該レバーを付勢するバネ部材と、該バネ部材のバネ圧を前記本体ケースの外部から変更調整するバネ圧調整機構とを具備することを特徴とする。
【０００６】
また、本発明にかかるスキューバダイビング用呼吸装置の一形態によれば、前記レバーは、中途部で基部に回動可能に軸着されて、一方部に前記開閉部が設けられると共に、他方部に前記ダイヤフラムに当接して連携する当接部が設けられ、前記バネ部材は、トーションスプリングであって、一端が前記レバーの前記他方部に係止されると共に、他端がバネ圧を調整するため変位可能に設けられたスプリングホルダーに係止されたことを特徴とすることができる。
また、本発明にかかるスキューバダイビング用呼吸装置の一形態によれば、前記バネ圧調整機構は、基部に回動可能に軸着されて回動することで前記トーションスプリングの他端の位置を変位させてバネ圧を調整可能に設けられた前記スプリングホルダーと、該スプリングホルダーを外部から操作可能に連携して変位させることができるカム状部材とを備えることを特徴とすることができる。
また、本発明にかかるスキューバダイビング用呼吸装置の一形態によれば、前記カム状部材の前記スプリングホルダーと連携すべく設けられた当接面が、前記本体ケースの壁部を貫通して外部で回動操作可能に軸着された調整ダイヤルの前記本体ケース内部へ突出した先端部に設けられていることを特徴とすることができる。
【０００７】
また、本発明にかかるスキューバダイビング用呼吸装置の一形態によれば、前記小径オリフィスが設けられた部位と、前記レバーと、前記バネ部材と、前記スプリングホルダーとから成るレバーユニットを設け、該レバーユニットを脱着可能としたことを特徴とすることができる。
【０００８】
また、本発明にかかるスキューバダイビング用呼吸装置の一形態によれば、スキューバダイビング用タンクに取り付けられた１次レギュレーターから供給される潜水用の空気を、ダイバーの呼吸に応じて圧力を調整してダイバーへ供給する２次レギュレーターであって、水中において本体ケース及びダイヤフラム等によって空間を形成することで空気が滞留されるべく設けられた本体ケース内部に開口し、前記１次レギュレーターから供給される空気が吐出できる空気供給オリフィスと、該空気供給オリフィスへ一方面側が当接して閉鎖できると共に、他方面側へ空気が流出することを許容する小孔を備え、前記一方面側の当接による前記空気供給オリフィスの閉鎖を解除すべく動作した際にはダイバーへの空気の供給を許容するメインバルブシートと、前記メインバルブシートの他方面側へ流出した空気を滞留可能に設けられ、前記メインバルブシートによって前記空気供給オリフィスが閉鎖されるべく圧力を保持可能な空気室と、該空気室の圧力を低下させて前記メインバルブシートによる前記空気供給オリフィスの閉鎖を解除可能に、前記空気室内から前記本体ケース内部への空気の流出を許容する小径オリフィスと、該小径オリフィスを開閉する開閉部が一方部に設けられると共に、前記本体ケース内部が外部よりも低圧になった場合に前記ダイヤフラムの動作に伴って前記小径オリフィスを開くべく、他方部が前記ダイヤフラムに連携されたレバーとを備え、前記メインバルブシートによって前記空気供給オリフィスを閉鎖すべく前記空気室の圧力が保持される際には、前記メインバルブシートの前記一方面側で且つ前記空気供給オリフィスを閉鎖する部分よりも外周側の面部に当接して受ける部位であると共に、前記空気供給オリフィスの前記メインバルブシートによる閉鎖が解除された際には、前記空気供給オリフィスから前記本体ケース内部への通気を許容する部位が、メッシュ部材によって設けられていることを特徴とする。
【０００９】
また、本発明にかかるスキューバダイビング用呼吸装置の一形態によれば、スキューバダイビング用タンクに取り付けられた１次レギュレーターから供給される潜水用の空気を、ダイバーの呼吸に応じて圧力を調整してダイバーへ供給する２次レギュレーターであって、水中において本体ケース及びダイヤフラム等によって空間を形成することで空気が滞留されるべく設けられた本体ケース内部に開口し、前記１次レギュレーターから供給される空気が吐出できる空気供給オリフィスと、該空気供給オリフィスへ一方面側が当接して閉鎖できると共に、他方面側へ空気が流出することを許容する小孔を備え、前記一方面側の当接による前記空気供給オリフィスの閉鎖を解除すべく動作した際にはダイバーへの空気の供給を許容するメインバルブシートと、前記メインバルブシートの他方面側へ流出した空気を滞留可能に設けられ、前記メインバルブシートによって前記空気供給オリフィスが閉鎖されるべく圧力を保持可能な空気室と、該空気室の圧力を低下させて前記メインバルブシートによる前記空気供給オリフィスの閉鎖を解除可能に、前記空気室内から前記本体ケース内部への空気の流出を許容する小径オリフィスと、該小径オリフィスを開閉する開閉部が一方部に設けられると共に、前記本体ケース内部が外部よりも低圧になった場合に前記ダイヤフラムの動作に伴って前記小径オリフィスを開くべく、他方部が前記ダイヤフラムに連携されたレバーと、１次レギュレーターから供給される空気圧が一定以上になるとその空気を外部へ放出すべく、前記空気供給オリフィスと１次レギュレーターへ接続するためのホース接続口との間の連通路に設けられたリリーフ弁とを具備することを特徴とする。
【発明の効果】
【００１０】
本発明のスキューバダイビング用呼吸装置によれば、バネ部材による付勢力を好適に調整することができ、各条件に応じて空気をダイバーへ好適に供給することができるという特別顕著な効果を奏する。
【発明を実施するための最良の形態】
【００１１】
以下、本発明に係るスキューバダイビング用呼吸装置の最良の形態の一例を添付図面に基づいて詳細に説明する。図１は、本発明に係るスキューバダイビング用呼吸装置の外観を示す斜視図である。図２は、図１の断面図であってダイバーへの空気の供給が停止されている状態を示す。また、図３は、図１の断面図であってダイバーへ空気が供給されている状態を示す。
このスキューバダイビング用呼吸装置は、スキューバダイビング用タンクに取り付けられた１次レギュレーターから供給される潜水用の空気を、ダイバーの呼吸に応じて圧力を調整してダイバーへ供給する２次レギュレーターである。
【００１２】
１０は本体ケースであり、１２はダイヤフラムである。
１５は本体ケース内部であり、水中において本体ケース１０及びダイヤフラム１２等によって空間を形成することで空気が滞留されるべく設けられている。
２０は空気供給オリフィスであり、１次レギュレーターから供給される空気が吐出できるように、本体ケース内部１５に開口している。
【００１３】
２５はメインバルブシートであり、図２に示すように空気供給オリフィス２０へ一方面側が当接して閉鎖できると共に、他方面側へ空気が流出することを許容する小孔２６を備え、一方面側の当接による空気供給オリフィス２０の閉鎖を解除すべく動作した際には図３の矢印で示すようにダイバーへの空気の供給を許容するように設けられている。
本形態例のメインバルブシート２５は、円板状に形成されて中央部に小孔２６が設けられており、周縁部で気密状態に固定されている。また、空気供給オリフィス２０と同軸上に配され、空気圧を受けてダイヤフラム状に変形可能にゴム材等の弾性板材によって形成されている。なお、小孔２６は補強のために別部材によって成形されたものが中央部に一体化されて設けられている。
【００１４】
３０は空気室であり、メインバルブシート２５を挟んで空気供給オリフィス２０とは反対側に設けられている。
この空気室３０は、メインバルブシート２５の他方面側へ流出した空気を滞留可能に設けられ、メインバルブシート２５によって空気供給オリフィス２０が閉鎖されるべく圧力を保持することができる。すなわち、図２に示すように空気室３０が閉じていて小孔２６からの圧力空気の流入可能な状態においては、他方面側の受圧面が、一方面側の受圧面（空気供給オリフィス２０の開口面積）よりも広いため、メインバルブシート２５は空気室３０側から押圧され、空気供給オリフィス２０を閉鎖することができる。
【００１５】
３５はメッシュ部材であり、メインバルブシート２５によって空気供給オリフィス２０を閉鎖すべく空気室３０の圧力が保持される際には、メインバルブシート２５の一方面側で且つ空気供給オリフィス２０を閉鎖する部分よりも外周側の面部２５ａ（図６参照）に当接して受ける部位であると共に、空気供給オリフィス２０のメインバルブシート２５による閉鎖が解除された際には、空気供給オリフィス２０から本体ケース内部１５への通気を許容する部位に配設されている。
このメッシュ部材３５としては、例えば、ステンレススチールの細線で編まれた網を幾重にも積層することで必要な剛性を備えた板状の部材を用いることができる。さらに具体的には１００μｍ程度のメッシュ素材を適度に積層して強度を持たせたものを使用できる。
【００１６】
以上に説明したように、メインバルブシート２５を挟んで空気供給オリフィス２０とは反対側に空気室３０が設けられ、その空気室３０にはメインバルブシート２５に設けられた小孔２６を経由して１次レギュレーターからの圧縮空気が供給される。
このため、メインバルブシート２５には多大な力がかかることになる。この力によって、従来の機器ではメインバルブシート２５が変形を起したりクラックを生じるなどの経年変化があった。これを回避してメインバルブシート２５の性能を維持するために、空気供給オリフィス２０の外周にドーナツ状のメッシュ部材３５が嵌っている。このメッシュ部材３５によれば、メインバルブシート２５の面を均一に受けて支持することができ、その圧力を好適に分散できる。このため、メインバルブシート２５の局部変形がなくなり、その寿命を大幅に長くすることができる。
【００１７】
４０は小径オリフィスであり、空気室３０の圧力を低下させてメインバルブシート２５による空気供給オリフィス２０の閉鎖を解除可能に、空気室３０内から本体ケース内部１５への空気の流出を許容する小さな孔となっている。
本形態例の小径オリフィス４０は、空気供給オリフィス２０及びメインバルブシート２５と同軸上に直列状に配されている。
この小径オリフィス４０の直径は例えば０．５ｍｍに設定され、メインバルブシート２５に設けられた小孔２６の直径は例えば０．２５ｍｍに設定される。これによれば、小孔２６より供給される空気量に比べて小径オリフィス４０から排出される空気量を大きくすることが可能であり、小径オリフィス４０が開くことで空気室３０の圧力を低下できる。
【００１８】
４５はレバーであり、小径オリフィス４０を開閉する開閉部４６が一方部に設けられると共に、本体ケース内部１５が外部よりも低圧になった場合に図３に示すようにダイヤフラム１２の動作に伴って小径オリフィス４０を開くべく、他方部がダイヤフラム１２に連携されている。つまり、ダイバーが空気を吸うと、本体ケース内部１５が外部よりも低圧になり、ダイヤフラム１２が本体ケース１０の内側方向へ移動するように動作し、そのダイヤフラム１２に連携されたレバー４５が作動して小径オリフィス４０が開く。これによって、空気室３０の圧力が低下してメインバルブシート２５が変形して空気供給オリフィス２０が開き、図３に示すように空気がメッシュ部材３５を通ってダイバーへ供給される。
また、このレバー４５は、中途部で基部であるレバーホルダー４８に回動可能に軸着されて、一方部に開閉部４６が設けられると共に、他方部にダイヤフラム１２に当接して連携する当接部４７が設けられている。
【００１９】
５０はトーションスプリングであり、バネ部材の一例であってレバー４５の開閉部４６が小径オリフィス４０を閉じるようにレバー４５を付勢する。
このトーションスプリング５０は、一端５１がレバー４５の他方部に係止されると共に、他端５２がバネ圧を調整するため変位可能に設けられたスプリングホルダー５５に係止されている。
なお、バネ部材としてはこれに限らず、バネ性を有するものであって好適に装着できるものであれば、他の形態の弾性部材であってもよいのは勿論である。
【００２０】
６０はバネ圧調整機構であり、バネ部材（トーションスプリング５０）のバネ圧を本体ケース１０の外部から変更調整する。
このバネ圧調整機構６０は、例えば、基部４１に回動可能に軸着されて回動することでトーションスプリング５０の他端５２の位置を変位させてバネ圧を調整可能に設けられたスプリングホルダー５５と、スプリングホルダー５５を外部から操作可能に連携して変位させることができるカム状部材６２とを備えている。
【００２１】
また、カム状部材６２のスプリングホルダー５５と連携すべく設けられた当接面６３が、本体ケース１０の壁部を貫通して外部で回動操作可能に軸着された調整ダイヤル６１の本体ケース内部１５へ突出した先端部に設けられている。本形態例では当接面６３が斜面となっており、図４のように斜面の高い部分がスプリングホルダー５５を押している場合には、トーションスプリング５０のバネ圧を高めることができる。これに対して図５のように斜面の低い部分がスプリングホルダー５５を押している場合には、トーションスプリング５０のバネ圧が低くなる。
なお、調整ダイヤル６１は、軸芯を中心に回動するが、Ｏ−リングで好適に気密されている。また、スプリングホルダー５５は回動式であり、カム状部材６２との連携は斜面となっており、シンプルな形状であるため故障しにくく洗浄し易い形態となっている。
【００２２】
なお、このバネ圧調整機構としてはこれに限定されるものではなく、スプリングホルダー５５と連携する当接面である斜面を直線的にスライドさせる方法や、外部から操作できる可動部材のケース本体内部１５への突出長さをネジで調整する機構等を用いることが可能である。
また、スプリングホルダー５５もこれに限定されるものでなく、直線的に変位できる形態を用いることも可能である。
【００２３】
以上の構成によれば、小径オリフィス４０の封止のために本体ケース１０に設けられたダイヤフラム１２の動作を伝えるためのレバー４５の一方部の端に、ゴム等の弾性素材を配した開閉部４６を設け、それを小径オリフィス４０に当てることで小径オリフィス４０を封止している。このときわずかなオリフィス面と弾性素材面の傾きや、長時間に亘って当接していたことによる弾性素材面の変形などが影響して、同部からの微小空気漏れが発生することがある。弾性素材であるので、さらに強く小径オリフィスへ押し付けることでこの漏れは回避されるが、このことはレバー４５を付勢するトーションスプリング５０のバネ圧を上げることであり、ダイヤフラム１２の動きを妨げることになる。そのため、いたずらにバネ圧を予め上げておくことは、呼吸抵抗を上げることになり好ましくない。
【００２４】
そこで、本形態のバネ圧調整機構６０によれば、トーションスプリング５０の他端位置（固定端位置）を可変とし、小径オリフィス４０にかかるバネ圧をダイバーが常に最適に調整できるように、外部からその固定端位置を変えられるようになっている。従って、小径オリフィス４０から微小な空気漏れが発生すれば、バネ圧を少し上げることで簡単に回避でき、また呼吸が重く感じる場合には、バネ圧を下げることで対応できる。
また、このようにレバー４５のバネ圧を外部より調整可能とすることで、予め余分なバネ圧をかけることなく、最小かつ適正なバネ圧に常時設定しながら使用することが可能となった。さらには呼気抵抗が軽すぎるなど、ダイバーの主観や好みに応じての要求に対しても、同部の調整で対応することが可能となった。
なお、本形態例において空気供給オリフィス２０の閉鎖が解除されて開いた際には、本体ケース内部１５に形成されたエアーガイド６５に案内されて空気がダイバーへ供給されるようになっている。エアーガイド６５を通過する空気流によってベンチュリー効果が生じ、ダイバーはより軽い吸気を行うことができる。  
【００２５】
また、本形態例では以上の構成のうちから、小径オリフィス４０が設けられた部位と、レバー４５と、バネ部材（トーションスプリング５０）と、スプリングホルダー５５とから成るレバーユニット７０を設け、そのレバーユニット７０を脱着可能としてある。
つまり、レバー４５およびトーションスプリング５０、さらにはトーションスプリング５０のバネ圧可変用の可動部材（スプリングホルダー５５）など、空気室３０及び小径オリフィス４０に正確な位置関係で固定する必要がある部分をユニット化し、簡単に脱着することができるように構成してある。これにより、メンテナンス性を向上させて組み立て時の位置再現性をも向上させることができる。このことは、定期的にメンテナンスや洗浄が必要な海中で使用するスキューバダイビング機器にとっては重要であり、メンテナンス後の不具合の発生や故障の発生を防止することができる。
【００２６】
８０はリリーフ弁であり、図２等に示すように空気供給オリフィス２０と１次レギュレーターへ接続するためのホース接続口９０との間の連通路９１に、１次レギュレーターから供給される空気圧が一定以上になるとその空気を外部へ放出するように設けられている。
一般にスキューバダイビング用呼吸装置において、１次レギュレーターが故障し、タンクの高圧空気が設定圧に減圧されず圧力が上がって供給されるという故障が考えられる。しかし、このとき従来のパイロット弁式の２次レギュレーターは、上昇した空気圧を一定圧以上でリークさせて逃がすという安全機能をその構造上持ち合わせていない。空気室の小径オリフィス部からは、一定圧以上になると空気が漏れ始めるが、その量と１次ステージ側での異常圧供給量とがつりあっていない限り、中間のホース部９２など全体の流路で圧力が上昇し続けることになる。このことは、ホースの破裂など、重篤な危険を潜在的に含んでいる。
【００２７】
これを回避すべく、空気供給オリフィス２０に連通して一定圧以上で充分な空気量を逃がすことができるリリーフ弁８０を設けた。これによると、常用圧が０．９８ＭＰａのところ、約１．７ＭＰａにて弁を開放し、圧力の上昇を防止することができた。リリーフ弁８０は、弾性体製のＯ−リング８１と可動部材８２、及びそれを抑えるバネ部材８３より構成される。一定圧以下では図６に示すようにバネ部材８３による抑制によってＯ−リング８１により空気が遮断されて外部に漏れないが、内部の空気圧が上がると図７に示すようにＯ−リング８１及び可動部材８２が押し下げられ、内部の空気を外部へ逃がすように働く。
また、このリリーフ弁８０は、ダイバーの顎の下側から空気を導入するために屈曲した連通路９１の角部に設けられている。このようにリリーフ弁８０を配置できることで、コスト面及びコンパクトに形成できる形態面で利点がある。
【実施例１】
【００２８】
次に図８に基づいて、他の実施の形態例（実施例１）について説明する。なお、バネ部材及びバネ圧調整機構以外の構成は、前述した形態例と同一であり、説明を省略する。
１６０は調整軸であり、先端部１６２の本体ケース内部１５での突出長さを可変可能に本体ケース１０に螺合している。また、本体ケース１０の外側で操作可能に設けられた操作部１６１が、本体ケース１０から外側へ延設された案内部１１０に摺接している。これにより、調整軸１６０の出入方向の移動変位が案内されている。
１５０はコイルスプリングであり、調整軸１６０とレバー４５の一方部４５ａとの間に弾装されて開閉部材４６が小径オリフィス４０を閉じるようにレバー４５を付勢している。
また、調整軸１６０は、案内部１１０との間に配されたＯ−リングによって気密されている。
この調整軸１６０を構成要素とするバネ圧調整機構によってもコイルスプリング１５０のバネ圧を好適に調整でき、前述した形態例と同様の効果を得ることができる。
【００２９】
ところで、以上に説明した構成の他にマウスピース９３や排気口及び排気用の弁体等の構成もあるが、それらは従来品と同等に構成すればよく、説明を省略する。
以上、本発明につき好適な形態例を挙げて種々説明してきたが、本発明はこの形態例に限定されるものではなく、発明の精神を逸脱しない範囲内で多くの改変を施し得るのは勿論のことである。
【図面の簡単な説明】
【００３０】
【図１】本発明に係るスキューバダイビング用呼吸装置の最良の形態の一例を示す斜視図である。
【図２】ダイバーへの空気の供給が停止されている状態を示す断面図である。
【図３】ダイバーへ空気が供給されている状態を示す断面図である。
【図４】バネ部材のバネ圧を上げた状態を示す断面図である。
【図５】バネ部材のバネ圧を下げた状態を示す断面図である。
【図６】リリーフ弁が閉じた状態を示す断面図である。
【図７】リリーフ弁開いた状態を示す。
【図８】本発明に係るスキューバダイビング用呼吸装置の他の形態（実施例１）を示す断面図である。
【符号の説明】
【００３１】
１０  本体ケース
１２  ダイヤフラム
１５  本体ケース内部
２０  空気供給オリフィス
２５  メインバルブシート
２６  小孔
３０  空気室
３５  メッシュ部材
４０  小径オリフィス
４５  レバー
４６  開閉部
４７  当接部
５０  トーションスプリング
５５  スプリングホルダー
６０  バネ圧調整機構
６１  調整ダイヤル
６２  カム状部材
６３  当接面
７０  レバーユニット
８０  リリーフ弁
９０  ホース接続口
９１  連通路
【図１】
2006335099.tif 000003
【図２】
2006335099.tif 000004
【図３】
2006335099.tif 000005
【図４】
2006335099.tif 000006
【図５】
2006335099.tif 000007
【図６】
2006335099.tif 000008
【図７】
2006335099.tif 000009
【図８】
2006335099.tif 000010